(57)【要約】【課題】より集中した光線および高強度の光を発することができる発光ダイオード（ＬＥＤ）カップ灯を提供する。【解決手段】基部と、前記基部に配置された発光ダイオード（ＬＥＤ）光源と、前記ＬＥＤ光源の上側に配置された導光装置と、を含み、前記導光装置は、前記ＬＥＤ光源に対向する導光領域を有し、前記ＬＥＤ光源から発せられる光が前記導光領域を通じて案内された後、当該光は更に、ＬＥＤカップ灯の外側に向かって放出されるために、前記導光装置の他の部分によって案内される、ＬＥＤカップ灯。【選択図】図１
2012146655.tif 000002
【特許請求の範囲】
【請求項１】
基部と、
前記基部に配置された発光ダイオード（ＬＥＤ）光源と、
前記ＬＥＤ光源の上側に配置された導光装置と、を含み、
前記導光装置は、前記ＬＥＤ光源に対向する導光領域を有し、前記ＬＥＤ光源から発せられる光が前記導光領域を通じて案内された後、当該光は更に、ＬＥＤカップ灯の外側に向かって放出されるために、前記導光装置の他の部分によって案内される、ＬＥＤカップ灯。
【請求項２】
前記導光装置は、
レンズと、
前記レンズと隣り合って配置される導光部品と、を含み、
前記導光部品は前記発光ダイオード光源と対向し、前記導光部品の位置決めされた領域は、前記導光領域を規定する、
請求項１に記載のＬＥＤカップ灯。
【請求項３】
前記ＬＥＤ光源から発せられる光が前記導光部品によって反射され、それからレンズに放射された後、当該光は前記ＬＥＤカップ灯の外側に向かって放出される、
請求項２に記載のＬＥＤカップ灯。
【請求項４】
前記レンズは底面を備える凹部を有し、前記導光部品は前記底面に配置される、
請求項２又は３に記載のＬＥＤカップ灯。
【請求項５】
前記底面は、平面、凸面、もしくは、下向きに突出した凹表面である、
請求項４に記載のＬＥＤカップ灯。
【請求項６】
前記導光部品は、前記レンズと隣り合って配置される導光フィルムであり、
前記導光フィルムは前記発光ダイオード光源と対向し、前記導光フィルムの位置決めされた領域は、前記導光領域を規定する、
請求項２乃至５いずれか一項に記載のＬＥＤカップ灯。
【請求項７】
前記導光フィルムは前記レンズにコーティングされている、
請求項６に記載のＬＥＤカップ灯。
【請求項８】
前記ＬＥＤ光源から発せられる光が前記導光フィルムによって反射され、それからレンズに放射された後、当該光は前記ＬＥＤカップ灯の外側に向かって放出される、
請求項７に記載のＬＥＤカップ灯。
【請求項９】
前記基部は、フレームと、キャリアと、を含み、
前記フレームは、前記キャリアの周辺を囲み、前記キャリアの周辺と連結し、
前記キャリアは開口部を有し、
前記基部の前記キャリアに配置され、前記ＬＥＤ光源が配置される、基板と、
前記基板を押し、また、前記開口部を介して前記基部の前記キャリアの底面と係合される、固定構造体と、を更に含む、
請求項１乃至８のいずれか一項に記載のＬＥＤカップ灯。
【請求項１０】
前記固定構造体は、
前記基板を押すプレッシャープレートと、
前記プレッシャープレートと連結されるフックと、を含み、
前記フックは、前記プレッシャープレートから伸長し、前記キャリアの底面と係合されるように前記開口部を通過する、
請求項９に記載のＬＥＤカップ灯。
【請求項１１】
前記基板は、
前記基部の前記キャリアに配置される、第一の基板と、
前記第一の基板に配置される、第二の基板と、を含み、
前記ＬＥＤ光源は前記第二の基板に組み込まれ、
前記プレッシャープレートは、前記第一の基板を押し、前記第二の基板の周辺を囲む、
請求項１０に記載のＬＥＤカップ灯。
【請求項１２】
前記第二の基板の外側壁は、突出部を有し、
前記プレッシャープレートの内側壁は、前記突出部を受け止める間隙を有する、
請求項１１に記載のＬＥＤカップ灯。
【請求項１３】
前記プレッシャープレートの底面は刻み目を有し、
前記基板は、
前記刻み目の位置と一致し、前記第一の基板に配置される、電気パッドと、
一端を前記電気パッドと接続し、前記刻み目に位置する、ワイヤと、を更に含む、
請求項１１又は１２に記載のＬＥＤカップ灯。
【請求項１４】
前記フレームは、前記開口部と相互接続される収容部を有し、
前記フックは、前記収容部で受け止められる、
請求項１０乃至１３いずれか一項に記載のＬＥＤカップ灯。
【請求項１５】
前記固定構造体は、二つのフックを含む、
請求項１０乃至１４いずれか一項に記載のＬＥＤカップ灯。
【請求項１６】
前記二つのフックの前記カギ部のそれぞれは、反対方向に面している、
請求項１５に記載のＬＥＤカップ灯。
【請求項１７】
前記基板と、前記基部の前記キャリアと、の間に、熱伝導絶縁層を更に含む、
請求項９乃至１６いずれか一項に記載のＬＥＤカップ灯。
【請求項１８】
前記固定構造体は、金属、プラスティック、又は複合材料で形成されている、
請求項９乃至１７いずれか一項に記載のＬＥＤカップ灯。
【請求項１９】
前記基部は、金属、プラスティック、又は複合材料で形成されている、
請求項１乃至１８いずれか一項に記載のＬＥＤカップ灯。
【発明の詳細な説明】
【技術分野】
【０００１】
本発明は、一般にカップ灯に、特に発光ダイオードカップ灯（ＬＥＤ  ｃｕｐ  ｌａｍｐ）に、関する。
【０００２】
［関連出願の相互参照］
本願は、２０１１年１月６日付で出願された台湾特許出願第１００１００５３６号明細書、２０１１年４月１５日付で出願された台湾特許出願第１００１１３２５１号明細書、（これらの主題は参照により本明細書中に援用される）の利益を主張している。
【背景技術】
【０００３】
環境保全の意識が高まるにつれ、ＬＥＤ灯（ＬＥＤ  ｌａｍｐ）は、次第に人々の注目を引きつけ、広く需要を獲得している。ＬＥＤ灯は、高い発光効率、および、可視色光を発するという利点を有する。加えて、ＬＥＤ灯は、低電力消費、製品としての寿命が長いという特徴を有する。
【０００４】
ＬＥＤ灯の適応される様々な場合においては、集中した光線（ｃｏｎｃｅｎｔｒａｔｅｄ ｂｅａｍ）および高強度を伴う光を生み出すことが必要とされる。例えば、ＬＥＤ灯が宝飾品類の展示に用いられるとき、光は宝飾品類をまばゆいばかりに輝かせるために、より集中した光線および高強度を伴うことが要求される。
【０００５】
ＬＥＤ灯の性質や構造の観点から、ほとんどのＬＥＤ灯は、金属の基部とＬＥＤ光源モジュール（ＬＥＤ  ｌｉｇｈｔ  ｍｏｄｕｌｅ）とを含むものである。通常、当該ＬＥＤ光源モジュールは金属の基部にネジを用いて固定される。ハイ・ポットテスト（ｔｈｅ  Ｈｉｇｈ−Ｐｏｔ  Ｔｅｓｔ）において、ＬＥＤ光源モジュールに印加される電圧は、ＬＥＤ光源モジュールととても近接させる方法にて配置されているネジを介して、金属の基部に極めて移動されがちである。実際の適用においては、ＬＥＤ灯に停電を引き起こすのみでなく、利用者は電気ショックの危険に曝されることとなる。
【０００６】
それに加えて、ＬＥＤ光源モジュールが金属の基部にネジを用いて固定されるとき、ＬＥＤ光源モジュールはより多くの組み立て時間と、費用とを招くこととなる。
【０００７】
ゆえに、集中した光線および高強度を伴う光を生み出し、それとともに、ハイ・ポットテストにおいてネジの性質によって引き起こされる障害を妨げ、そして、組み立て時間と、費用を節約するＬＥＤ灯をいかにして提供するかが、産業界において広く認知される課題になりつつある。
【０００８】
他の関連するランプ（灯）は台湾特許番号Ｉ３１０８２２、Ｍ２５３７４７、Ｍ３４５９３０、Ｍ３４９４６３、Ｄ２２１２９７、Ｍ３３４２７９、Ｍ３１０９９２、Ｍ３５０６７３に開示がされている。
【発明の概要】
【０００９】
本発明は、より集中した光線および高強度の光を発することができる発光ダイオード（ＬＥＤ）カップ灯を提供することを目的とする。
【００１０】
本発明の第一の態様によると、基部（ｂａｓｅ）と、ＬＥＤ光源と、導光装置（ｌｉｇｈｔ  ｇｕｉｄｉｎｇ  ｄｅｖｉｃｅ）と、を含む発光ダイオード（ＬＥＤ）カップ灯が開示される。導光装置は、基部に配置される。導光装置は、ＬＥＤ光源の上側に配置されている。導光装置は、ＬＥＤ光源に対向する導光領域を有している。ＬＥＤ光源から発せられる光が導光領域を通じて案内された後、当該光は更に、ＬＥＤカップ灯の外側に向かって放出されるために、前記導光装置の他の部分によって案内される。
【００１１】
本発明の上記および他の態様は、下記の好ましいが、実施形態に限定されない詳細な説明にて、よりよく理解される。下記の詳細な説明は、添付の図面を参照して行う。
【図面の簡単な説明】
【００１２】
【図１】本発明の第一の形態に係るＬＥＤカップ灯を示す図である。
【図２】図１の基部とレンズの三次元概略図である。
【図３】図１のＬＥＤカップ灯の部分三次元概略図である。
【図４】導光部品（ｌｉｇｈｔ  ｇｕｉｄｉｎｇ  ｅｌｅｍｅｎｔ）を用いないＬＥＤカップ灯を示す図である。
【図５】図１のＬＥＤカップ灯の光度と角度との関係曲線を示す図である。
【図６】図４のＬＥＤカップ灯の光度と角度との関係曲線を示す図である。
【図７】本発明の第二の形態に係るＬＥＤカップ灯を示す図である。
【図８Ａ】本発明の第三の形態に係るＬＥＤカップ灯の組立概略図である。
【図８Ｂ】本発明の第三の形態に係るＬＥＤカップ灯の分解概略図である。
【図９】図８Ａに示されるＬＥＤカップ灯の上面図である。
【図１０Ａ】図９における切断線３Ａ−３Ａに沿ったＬＥＤカップ灯の断面図である。
【図１０Ｂ】図９における切断線３Ｂ−３Ｂに沿ったＬＥＤカップ灯の断面図である。
【図１１】図８Ａに示される固定構造体（ｔｈｅ  ｆｉｘｉｎｇ  ｓｔｒｕｃｔｕｒｅ）の三次元概略図である。
【発明を実施するための形態】
【００１３】
[第一の形態]
図１に本発明の第一の形態にかかる発光ダイオード（ＬＥＤ）カップ灯を示す。ＬＥＤカップ灯は、基部（ｂａｓｅ）１０２と、ＬＥＤ光源１０４と、導光装置（ｌｉｇｈｔ  ｇｕｉｄｉｎｇ  ｄｅｖｉｃｅ）１０６を含むことが開示されている。ＬＥＤ光源１０４は、基部１０２に配置されている。導光装置１０６は、ＬＥＤ光源１０４の上側に配置されている。導光装置１０６は、ＬＥＤ光源１０４に対向する導光領域（ｌｉｇｈｔ  ｇｕｉｄｉｎｇ  ｒｅｇｉｏｎ）１０８を有している。ＬＥＤ光源１０４から発せられる光が導光領域１０８を通じて案内された後、当該光は、更に、ＬＥＤカップ灯１００の外側に向かって放出されるために、導光装置１０６の他の部分によって案内される。
【００１４】
本形態において、導光装置１０６は、レンズ１０６ａと、導光部品（ｌｉｇｈｔ  ｇｕｉｄｉｎｇ  ｅｌｅｍｅｎｔ）１０６ｂと、を含む。導光部品１０６ｂは、レンズ１０６ａと隣り合って配置されており、ＬＥＤ光源１０４に対向している。導光部品１０６ｂの位置決めされた領域は、導光領域１０８を規定する。
【００１５】
したがって、ＬＥＤ光源１０４から発せられる光（例えば、光１１２、光１１４）が導光部品１０６ｂによって反射され、それからレンズ１０６ａに放射された後、当該光はＬＥＤカップ灯１００の外側に向かって放出される。
【００１６】
レンズ１０６ａは、導光部品１０６ｂが配置される底面（ｂｏｔｔｏｍ  ｓｉｄｅ）１１０を有する凹部１１６を備える。
【００１７】
図２および図３を参照されたし。図２は、図１に示される基部１０２とレンズ１０６ａの三次元概略図である。図３は、図１に示されるＬＥＤカップ灯１００の部分三次元概略図である。本形態においては、底面１１０は、下向きに突出した凹表面、平面、もしくは、凸面によって実現されることとしてもよい。導光部品１０６ｂは、下向きに突出した凹表面構造、平面、もしくは、凸面によって実現される底面１１０の下に配置されることとしてもよい。
【００１８】
したがって、図１に示されるように、ＬＥＤ光源１０４から発せられた光の一部（例えば、光１１２、光１１４）が、導光部品１０６によって反射された後、当該光はレンズ１０６ａの側壁（ｓｉｄｅ−ｗａｌｌ）１２０に向かって発せられ、側壁１２０で全反射を生みだす。全反射は光の方向を変化させ、当該光をＬＥＤカップ灯１００の外側に向かって放出させる。図１は、光１１２と光１１４の方向は、中心線１２２に向かっていることを示している。明りは中心線１２２に集中され、中心線１２２上の光線の強さはこのようにして増加される。
【００１９】
図４には、導光部品を用いないＬＥＤカップ灯４００が示されている。図４に示されるように、導光部品が用いられないとき、ＬＥＤ光源４０４から発せられる光は枝分かれ（発散）される。例えば、ＬＥＤ光源４０４から発せられる光４１２と光４１４とがレンズ４０６ａの底面４１０に向かって放射された後、底面４１０を通過する当該二つの光は、レンズ４０６ａの上表面４１８に向かって発せられ、そして、レンズ４０６ａの外側に直接放出される。図４は、光４１２および光４１４の両方が、中心線４２２から離れる方向に進むことを示している。中心線４２２にはより少ない光が集中され、中心線４２２上の光線の強さは減少される。
【００２０】
図５と図６を参照されたし。図５は図１のＬＥＤカップ灯１００の光度と角度との関係曲線の一例である。図６は図４のＬＥＤカップ灯４００の光度と角度との関係曲線の一例である。図５および図６の横軸は中心線から偏位する角度を示し、そして、図５および図６の縦軸は、その単位をカンデラ（ｃｄと略される）で表わされる光度を示す。図５にて示されるように、第一の形態に係る図１のＬＥＤカップ灯１００のビーム角は、２２度（ビーム角は、中心光度の１／２の位置の角度に２を掛け算したものと等しい、半分の輝度の視野角（ｔｈｅ  ｈａｌｆ  ｌｕｍｉｎａｎｃｅ  ｖｉｅｗ  ａｎｇｌｅ）である）であり、光線の最大強さは１０５０ｃｄである。図６にて示されるように、図４のＬＥＤカップ灯４００のビーム角は、２６度であり、光線の最大強さは６３０ｃｄである。この図５および図６間の比較は、導光部品１０６ｂを用いる第一の形態のＬＥＤカップ灯１００は、図４のＬＥＤカップ灯４００がそうするより、高強度でより集中した光線を発生することを示している。
【００２１】
[第二の形態]
図７に本発明の第二の形態に係るＬＥＤカップ灯を示す。本形態は、導光部品１０６ｂが導光フィルム（ｌｉｇｈｔ  ｇｕｉｄｉｎｇ  ｆｉｌｍ）７０６ｂに置き換わったという点で、あるいは、導光部品１０６ｂが導光フィルム７０６ｂによって実装されたという点において、第一の形態と異なる。
【００２２】
基部７０２と、ＬＥＤ光源７０４と、導光装置７０６と、を含むＬＥＤカップ灯７００について開示がされている。ＬＥＤ７０４は、基部７０２に配置されている。導光装置７０６はＬＥＤ光源７０４の上側に配置されている。導光装置７０６は、ＬＥＤ光源７０４に対向する導光領域７０８を有している。ＬＥＤ光源７０４から発せられる光が導光領域７０８を通じて案内された後、ＬＥＤ光源７０４から発せられる光がＬＥＤカップ灯７００の外側に向かって放出されるために、当該光は更に、導光装置７０６の他の部分によって案内される。
【００２３】
本形態において、導光装置７０６は、レンズ７０６ａと、導光フィルム７０６ｂを含む。導光フィルム７０６ｂは、レンズ７０６ａと隣り合って配置されており、ＬＥＤ光源７０４に対向している。導光フィルム７０６ｂの位置決めされた領域は、導光領域７０８を規定する。例えばコーティング等の手段を経てレンズ７０６ａと接して形成される導光フィルム７０６ｂは、例えば金属のような光を反射する材料で形成されることとしてもよい。したがって、ＬＥＤ光源７０４から発せられる光が導光フィルム７０６ｂによって反射され、それからレンズ７０６ａに放射された後、当該光はＬＥＤカップ灯７００の外側に向かって放出される。
【００２４】
例えば、ＬＥＤ光源７０４から発せられた光が、導光フィルム７０６ｂによって反射された後、当該光はレンズ７０６ａの側面（ｌａｔｅｒａｌ  ｓｉｄｅ）７２０に向かって発せられる。それから、当該光は、側面７２０を介して全反射し、ＬＥＤカップ灯７００の外側に向かって放出させる。
【００２５】
同様に、レンズ７０６ａは、凸面の平面によって実現されることとしてもよい、凹部７１６を有する。凹部７１６は導光フィルム７０６ｂが配置されている底面７１０を有する。底面７１０は、下向きに突出した凹表面、平面、もしくは、凸面によって実現されることとしてもよい。
【００２６】
第一の形態のように、本形態も高強度でより集中した光線を発生するという有利な点を有するものである。
【００２７】
[第三の形態]
本形態は、基部と、基板（ｓｕｂｓｔｒａｔｅ）と、ＬＥＤ光源と、固定構造体（ｆｉｘｉｎｇ  ｓｔｒｕｃｔｕｒｅ）と、を含み、ＬＥＤ光源は、係合して接続するような当該固定構造体によって基板に固定されている、ＬＥＤカップ灯を開示する。当業者であれば誰でも、ＬＥＤカップ灯によって発せられる光線が高強度でより集中されるように、本形態のカップ灯が、第一の形態もしくは第二の形態で使われる同じ性質と構造とを採用することとしてもよいことを、理解するであろう。本形態のＬＥＤカップ灯を下記に示す。
【００２８】
図８Ａ、図８Ｂ、図９、図１０Ａ、図１０Ｂ、および図１１を参照されたし。図８Ａ、８Ｂそれぞれは、本発明の第三の形態に係るＬＥＤカップ灯の組立概略図、および分解概略図を示す。図９は、図８Ａに示されるＬＥＤカップ灯の上面図である。図１０Ａ、１０Ｂそれぞれは、図９における切断線３Ａ−３Ａに沿ったＬＥＤカップ灯の断面図、図９における切断線３Ｂ−３Ｂに沿ったＬＥＤカップ灯の断面図である。図８Ａに示される固定構造体の三次元概略図である。
【００２９】
図８Ａに示されるように、ＬＥＤカップ灯８００は基部８０２と、基板８０３と、ＬＥＤ光源８０４と、固定構造体８０５と、を含む。
【００３０】
図８Ｂ、図９、図１０Ａ、および図１０Ｂに示されるように、基部８０２は、フレーム８０２１と、キャリア８０２２と、を含む。フレーム８０２１は、キャリア８０２２の周辺を囲み、キャリア８０２２の周辺と連結する。キャリア８０２２は開口部８０２２ｐを有する。基板８０３は基部８０２のキャリア８０２２に配置される。ＬＥＤ光源８０４は基板８０３に配置される。固定構造体８０５は、基板８０３を押し、また、（図１０Ｂに図示されるように）開口部８０２２ｐを介して、基部８０２のキャリア８０２２の底面８０３３ｓと係合される。ネジにて基板にＬＥＤ光源を固定する従来の方法との比較において、係合して接続するような固定構造体によって基板に固定される本形態のＬＥＤカップ灯８００では、組み立て時間および費用をより少ないものとする。
【００３１】
本形態において、固定構造体８０５はプレッシャープレート（ｐｒｅｓｓｕｒｅ  ｐｌａｔｅ）８０５１と、複数のフック８０５２と、を含む。プレッシャープレート８０５１は基板８０３を押す。フック８０５２はプレッシャープレート８０５１と連結されている。フック８０５２は、プレッシャープレート８０５１から伸長し、そして、図１０Ｂに図示されるように、キャリア８０２２の底面８０２２ｓと係合されるように開口部８０２２ｐを通過する。本形態においてフレーム８０２１は、開口部８０２２ｐと相互接続される収容部（ａｃｃｏｍｍｏｄａｔｉｏｎ  ｒｅｃｅｓｓ）８０２１ｒを有する。フック８０５２は、収容部８０２１ｒで受け止められる。
【００３２】
固定構造体８０５と、基板８０３と、の配置関係について、下記に更に詳細に説明する。基板８０３は、第一の基板８０３１と、第二の基板８０３２と、を含む。第一の基板８０３１は基部８０２のキャリア８０２２に配置される。第二の基板８０３２は第一の基板８０３１に配置される。ＬＥＤ光源８０４は第二の基板８０３２に組み込まれる。プレッシャープレート８０５１は、第一の基板８０３１を押し、そして、第二の基板８０３２の周辺を囲む。すなわち、プレッシャープレート８０５１は、プレッシャープレート８０５１が第一の基板８０５１を押したときに、プレッシャープレート８０５１が第二の基板８０５１をプレッシャープレート８０５１の穴の開いた部分から露出させるため、穴の開いた環構造体（ｈｏｌｌｏｗｅｄ  ｒｉｎｇ  ｓｔｒｕｃｔｕｒｅ）である。すなわち、ＬＥＤ光源８０４によって発せられる光は固定構造体８０５によって阻害されることはなく、そのため、固定構造体８０５はＬＥＤ光源８０４によって発せられる光の発光効率を損なうことなく、ＬＥＤ光源８０４と基板８０３とをしっかりと固定することができる。
【００３３】
図８Ｂおよび図９に示されるように、ぶれなく又、自由に回転することなく、基板８０３に正確に配列されしっかりと位置が定まる固定構造体８０５のために、本形態の第二の基板８０３１の外側壁（ｏｕｔｅｒ  ｓｉｄｅ−ｗａｌｌ  ｏｆ  ｔｈｅ ｓｅｃｏｎｄ  ｐｌａｔｅ）は、更に突出部（ｐｒｏｔｒｕｓｉｏｎ  ｐｏｒｔｉｏｎ）８０３１ａを有し、そして、プレッシャープレート８０５１の内側壁（ｉｎｎｅｒ
ｓｉｄｅ−ｗａｌｌ ｏｆ ｔｈｅ ｐｒｅｓｓｕｒｅ ｐｌａｔｅ）は間隙８０５１ｒを有する。突出部８０３１ａは、固定構造体８０５および基板８０３間での相対的回転が引き起こされることを回避するために、間隙８０５１ｒに受け止められる。
【００３４】
図８Ｂ、１０Ａおよび図１１に示されるように、ＬＥＤ光源８０４に電源を供給するために、基板８０３は更に、２つの電気パッド（ｅｌｅｃｔｒｉｃａｌ  ｐａｄ）８０３３と、２つのワイヤ８０３４と、を含む。二つの電気パッド８０３３は、例えば、正（陽）極の電気パッドと、負（陰）極の電気パッドである。当該二つの電気パッド８０３３は、第一の基板８０３１に配置され、ＬＥＤ光源８０４と電気的に結合されている。それぞれのワイヤ８０３４は、一端を、対応する電気パッド８０３３と接続する。それぞれのワイヤ８０３４の一端は、対応する電気パッド８０３３とハンダ付けされることによって結合されるので、固められたハンダが電気パッド８０３３から突出されることとしてもよい。第一の基板８０３１を直接押すためのプレッシャープレート８０５１のために、本形態のプレッシャープレート８０５１の底面は、二つの刻み目（ｉｎｄｅｎｔａｔｉｏｎ）８０５１ｐを有し、そして、当該二つの刻み目８０５１ｐのそれぞれは二つの電気パッド８０３３の位置と一致し、そのため、プレッシャープレート８０５１の底面のほとんどは第一の基板８０３１を押すことができ、すなわち、基板８０３はしっかりと固定されることができる。
【００３５】
図８Ｂおよび図１１に示されるように、固定構造体８０５は、二つのフック８０５２毎に互いに隣り合う、四つのフック８０５２を含み、そして、二つの互いに隣り合うフック８０５２のカギ部（ｈｏｏｋ  ｐｏｒｔｉｏｎ）８０５２ａは反対方向に向かっている。したがって、固定構造体８０５は、固定安定性と、構造強度と、のどちらにおいても優れた性能を有するものである。本形態の固定構造体８０５は、プレッシャープレート８０５１の周辺に備えられた四つのフック８０５２、また、互いに反対方向に向かっている二つの隣り合うフック８０５２毎のカギ部８０５２ａによって例示されてはいるが、本発明はそのような例に限定されるものではない。当業者であれば誰でも、フック８０５２の位置や数、また、フック８０５２のカギ部８０５２ａの方向が、本形態の例に限定されないことを、理解するであろう。
【００３６】
図８Ｂ、図１０Ａおよび１０Ｂに示されるように、ＬＥＤカップ灯８００は、基板８０３と基部８０２のキャリア８０２２との間に配置される、熱伝導絶縁層（ｔｈｅｒｍｏ−ｃｏｎｄｕｃｔｉｖｅ  ｉｎｓｕｌａｔｉｏｎ  ｌａｙｅｒ）８０７を更に含む。熱伝導絶縁層８０７は、ＬＥＤ光源８０４から発生する熱を消散させるために基部８０２へと移動させる、媒体として使われることとしてもよい。また、安全規則（ｓａｆｅｔｙ  ｒｅｇｕｌａｔｉｏｎｓ）には、利用者が感電もしくは負傷することとないように、ＬＥＤ光源８０４の電気は、基部８０３に伝わってはならないと述べられている。したがって、本形態の熱伝導絶縁層８０７は、当該安全規則に適用する絶縁材料を採用する。
【００３７】
本形態において、基部８０２は金属、プラスティック、又は複合材料で形成されることとしてもよく、また、固定構造体８０５も金属、プラスティック、又は複合材料で形成されることとしてもよい。従来、ＬＥＤ光源モジュールは金属の基部にネジを用いて固定される。ハイ・ポットテスト（ｔｈｅ  Ｈｉｇｈ−Ｐｏｔ  Ｔｅｓｔ）において、ＬＥＤ光源モジュールに印加される電圧は、ＬＥＤ光源モジュールととても近接させる方法にて配置されているネジを介して、金属の基部に極めて移動されがちである。実際の適用においては、ＬＥＤ灯に停電を引き起こすのみでなく、利用者は電気ショックの危険に曝されることとなる。本形態によると、基部８０２は金属でできており、また、ネジが用いられるよりもより安全である基板８０３とＬＥＤ光源８０４との固定のために、プラスティックでできている固定構造体８０５が用いられる。一方で、本形態の設計はハイ・ポットテストをパスすることができる。
【００３８】
本発明は好ましい態様の観点から例として記載がされていると同時に、本発明がそれに限定されるものではないと理解されたし。さらに、それは様々な修正と類似した用意や手順とを包含することを目的としており、そして、添付された特許請求の範囲は、全てのそのような様々な修正と類似した用意や手順とを包含するように最も広い解釈を与えられなければならないものである。
【図１】
2012146655.tif 000003
【図２】
2012146655.tif 000004
【図３】
2012146655.tif 000005
【図４】
2012146655.tif 000006
【図５】
2012146655.tif 000007
【図６】
2012146655.tif 000008
【図７】
2012146655.tif 000009
【図８Ａ】
2012146655.tif 000010
【図８Ｂ】
2012146655.tif 000011
【図９】
2012146655.tif 000012
【図１０Ａ】
2012146655.tif 000013
【図１０Ｂ】
2012146655.tif 000014
【図１１】
2012146655.tif 000015
【外国語明細書】
2012146655000001.pdf